(57)【要約】【課題】画像形成装置が省電力状態から復帰する際に消費電力に無駄が発生することを抑制する。【解決手段】画像形成モジュール３０Ｙ,３０Ｍ,３０Ｃ,３０Ｋと、画像形成ユニット２に供給される用紙を保持する用紙トレイ４１〜４４との何れかが省電力状態設定時に着脱されていた場合には、省電力状態から稼働状態に復帰させる際に、画像形成ユニット２の定着器３９への電力供給を停止状態に維持する。【選択図】図１
2010130163.tif 000002
【特許請求の範囲】
【請求項１】
稼働状態と当該稼働状態よりも供給電力が低減された省電力状態とが設定され、当該稼働状態にてトナー像形成部が印刷命令に基づき用紙上にトナー像を形成し当該トナー像を定着部が用紙に定着する画像形成部と、
前記画像形成部に供給される用紙を保持する用紙保持部と、
前記トナー像形成部および前記用紙保持部各々の当該装置本体からの着脱を検知する検知手段と、
前記画像形成部を省電力状態から稼働状態に復帰させる際に、前記検知手段が当該省電力状態設定時に前記トナー像形成部および前記用紙保持部の何れかの着脱を検知していた場合に前記定着部への電力供給を停止状態に維持するように当該画像形成部の動作を制御する制御部と
を備えたことを特徴とする画像形成装置。
【請求項２】
前記制御部は、前記画像形成部を省電力状態から稼働状態に復帰させた後に、前記検知手段が当該省電力状態設定時に着脱を検知した前記トナー像形成部および前記用紙保持部の設定状態に関する情報を改めて取得することを特徴とする請求項１記載の画像形成装置。
【請求項３】
前記制御部は、取得した前記着脱が検知されたトナー像形成部および用紙保持部の設定状態に関する情報により当該トナー像形成部および当該用紙保持部の設定状態を更新し、更新された当該設定状態に基づき前記画像形成部での印刷命令の実行が可能か否かを判定し、印刷命令の実行が可能と判定された場合に、前記定着部への電力供給を開始することを特徴とする請求項２記載の画像形成装置。
【請求項４】
前記制御部は、取得した前記着脱が検知されたトナー像形成部および用紙保持部の設定状態に関する情報により当該トナー像形成部および当該用紙保持部の設定状態を更新し、更新された当該設定状態に基づき前記画像形成部での印刷命令の実行が可能か否かを判定し、印刷命令の実行が不能と判定された場合に、当該印刷命令の実行が不能であることを通知または表示させることを特徴とする請求項２記載の画像形成装置。
【請求項５】
前記制御部は、省電力状態の設定中に前記トナー像形成部および前記用紙保持部の設定状態についての送信要求を受け付けた場合に、前記検知手段が着脱を検知していた当該トナー像形成部および当該用紙保持部の設定状態が不定であることを応答させることを特徴とする請求項１記載の画像形成装置。
【請求項６】
稼働状態にてトナー像形成部が印刷命令に基づき用紙上にトナー像を形成し当該トナー像を定着部が用紙に定着する画像形成部において、当該稼働状態よりも供給電力が低減された省電力状態にて当該トナー像形成部が装置本体から着脱された場合の当該着脱に関する履歴情報と、当該画像形成部に供給される用紙を保持する用紙保持部が当該省電力状態にて装置本体から着脱された場合の当該着脱に関する履歴情報とを記憶する記憶部と、
前記画像形成部を省電力状態から稼働状態に復帰させる際に、前記記憶部に前記履歴情報が記憶されている場合には前記定着部への電力供給を停止状態に維持するように当該画像形成部の動作を制御する制御部と
を備えたことを特徴とする制御装置。
【請求項７】
前記制御部は、前記画像形成部を省電力状態から稼働状態に復帰させた後に、前記記憶部に前記履歴情報が記憶された前記トナー像形成部および用紙保持部の設定状態に関する情報を取得することを特徴とする請求項６記載の制御装置。
【請求項８】
前記制御部は、前記記憶部に前記履歴情報が記憶された前記トナー像形成部および用紙保持部の設定状態に関する前記情報により当該トナー像形成部および当該用紙保持部の設定状態を更新し、更新された当該設定状態に基づき前記画像形成部での印刷命令の実行が可能か否かを判定し、印刷命令の実行が可能と判定された場合に、前記定着部への電力供給を開始することを特徴とする請求項７記載の制御装置。
【請求項９】
前記制御部は、前記記憶部に前記履歴情報が記憶された前記トナー像形成部および用紙保持部の設定状態に関する前記情報により当該トナー像形成部および当該用紙保持部の設定状態を更新し、更新された当該設定状態に基づき前記画像形成部での印刷命令の実行が可能か否かを判定し、印刷命令の実行が不能と判定された場合に、当該印刷命令の実行が不能であることを通知または表示させることを特徴とする請求項７記載の制御装置。
【請求項１０】
前記制御部は、省電力状態の設定中に前記トナー像形成部および前記用紙保持部の設定状態についての送信要求を受け付けた場合に、前記記憶部に前記履歴情報が記憶された当該トナー像形成部および当該用紙保持部の設定状態が不定であることを応答させることを特徴とする請求項６記載の制御装置。
【請求項１１】
コンピュータに、
稼働状態にてトナー像形成部が印刷命令に基づき用紙上にトナー像を形成し当該トナー像を定着部が用紙に定着する画像形成部において、当該稼働状態よりも供給電力が低減された省電力状態にて当該トナー像形成部が装置本体から着脱された場合の当該着脱に関する履歴情報と、当該画像形成部に供給される用紙を保持する用紙保持部が当該省電力状態にて装置本体から着脱された場合の当該着脱に関する履歴情報とを記憶部に記憶させる機能と、
前記画像形成部および前記用紙保持部を省電力状態から稼働状態に復帰させる際に、前記記憶部に前記履歴情報が記憶されている場合には前記定着部への電力供給を停止状態に維持するように当該画像形成部および当該用紙保持部の動作を制御する機能と
を実現させることを特徴とするプログラム。
【発明の詳細な説明】
【技術分野】
【０００１】
本発明は、画像形成装置、制御装置、およびプログラムに関する。
【背景技術】
【０００２】
例えばプリンタや複写機等の画像形成装置では、例えばネットワーク等の通信手段から受け取る印刷命令の受信状況等に応じて、消費電力を低く抑える省電力状態が設定される。ところが、省電力状態からの復帰時に印刷命令に指示された用紙等が保持されていない場合等には、省電力状態から復帰しても画像形成処理が実行できない。そのため、省電力状態からの復帰に要する電力が無駄となる。
例えば特許文献１には、省電力状態に入る前に用紙やトナー等のサプライの有無を検知しておき、省電力状態から通常通電状態に復帰する際に、省電力状態に入る前に検知しておいたサプライの有無によって電力のオン/オフを制御する画像形成装置が記載されている。
【０００３】
【特許文献１】特開２００５−３７６１２号公報
【発明の開示】
【発明が解決しようとする課題】
【０００４】
ここで一般に、画像形成装置に省電力状態が設定された場合には、例えば用紙保持容器の着脱等を検知する検知手段や検知手段からの検知情報に基づき用紙設定等の変動を判断する制御手段への電力供給が停止される。そのため、省電力状態から復帰した後には、省電力状態中に例えば用紙保持容器内の用紙設定等が変動している場合があることから、用紙設定等の設定情報を改めて把握する必要がある。
ところが、省電力状態中に画像形成装置での用紙設定等が変動しており、印刷命令の実行に必要な用紙等が保持されていない場合もある。その場合には印刷命令に従った画像形成処理が実行できないので、省電力状態からの復帰に要する電力が無駄となることがある。
本発明は、画像形成装置が省電力状態から復帰する際に消費電力に無駄が発生することを抑制することを目的とする。
【課題を解決するための手段】
【０００５】
請求項１に記載の発明は、稼働状態と当該稼働状態よりも供給電力が低減された省電力状態とが設定され、当該稼働状態にてトナー像形成部が印刷命令に基づき用紙上にトナー像を形成し当該トナー像を定着部が用紙に定着する画像形成部と、前記画像形成部に供給される用紙を保持する用紙保持部と、前記トナー像形成部および前記用紙保持部各々の当該装置本体からの着脱を検知する検知手段と、前記画像形成部を省電力状態から稼働状態に復帰させる際に、前記検知手段が当該省電力状態設定時に前記トナー像形成部および前記用紙保持部の何れかの着脱を検知していた場合に前記定着部への電力供給を停止状態に維持するように当該画像形成部の動作を制御する制御部とを備えたことを特徴とする画像形成装置である。
【０００６】
請求項２に記載の発明は、前記制御部は、前記画像形成部を省電力状態から稼働状態に復帰させた後に、前記検知手段が当該省電力状態設定時に着脱を検知した前記トナー像形成部および前記用紙保持部の設定状態に関する情報を改めて取得することを特徴とする請求項１記載の画像形成装置である。
請求項３に記載の発明は、前記制御部は、取得した前記着脱が検知されたトナー像形成部および用紙保持部の設定状態に関する情報により当該トナー像形成部および当該用紙保持部の設定状態を更新し、更新された当該設定状態に基づき前記画像形成部での印刷命令の実行が可能か否かを判定し、印刷命令の実行が可能と判定された場合に、前記定着部への電力供給を開始することを特徴とする請求項２記載の画像形成装置である。
請求項４に記載の発明は、前記制御部は、取得した前記着脱が検知されたトナー像形成部および用紙保持部の設定状態に関する情報により当該トナー像形成部および当該用紙保持部の設定状態を更新し、更新された当該設定状態に基づき前記画像形成部での印刷命令の実行が可能か否かを判定し、印刷命令の実行が不能と判定された場合に、当該印刷命令の実行が不能であることを通知または表示させることを特徴とする請求項２記載の画像形成装置である。
請求項５に記載の発明は、前記制御部は、省電力状態の設定中に前記トナー像形成部および前記用紙保持部の設定状態についての送信要求を受け付けた場合に、前記検知手段が着脱を検知していた当該トナー像形成部および当該用紙保持部の設定状態が不定であることを応答させることを特徴とする請求項１記載の画像形成装置である。
【０００７】
請求項６に記載の発明は、稼働状態にてトナー像形成部が印刷命令に基づき用紙上にトナー像を形成し当該トナー像を定着部が用紙に定着する画像形成部において、当該稼働状態よりも供給電力が低減された省電力状態にて当該トナー像形成部が装置本体から着脱された場合の当該着脱に関する履歴情報と、当該画像形成部に供給される用紙を保持する用紙保持部が当該省電力状態にて装置本体から着脱された場合の当該着脱に関する履歴情報とを記憶する記憶部と、前記画像形成部を省電力状態から稼働状態に復帰させる際に、前記記憶部に前記履歴情報が記憶されている場合には前記定着部への電力供給を停止状態に維持するように当該画像形成部の動作を制御する制御部とを備えたことを特徴とする制御装置である。
【０００８】
請求項７に記載の発明は、前記制御部は、前記画像形成部を省電力状態から稼働状態に復帰させた後に、前記記憶部に前記履歴情報が記憶された前記トナー像形成部および用紙保持部の設定状態に関する情報を取得することを特徴とする請求項６記載の制御装置である。
請求項８に記載の発明は、前記制御部は、前記記憶部に前記履歴情報が記憶された前記トナー像形成部および用紙保持部の設定状態に関する前記情報により当該トナー像形成部および当該用紙保持部の設定状態を更新し、更新された当該設定状態に基づき前記画像形成部での印刷命令の実行が可能か否かを判定し、印刷命令の実行が可能と判定された場合に、前記定着部への電力供給を開始することを特徴とする請求項７記載の制御装置である。
請求項９に記載の発明は、前記制御部は、前記記憶部に前記履歴情報が記憶された前記トナー像形成部および用紙保持部の設定状態に関する前記情報により当該トナー像形成部および当該用紙保持部の設定状態を更新し、更新された当該設定状態に基づき前記画像形成部での印刷命令の実行が可能か否かを判定し、印刷命令の実行が不能と判定された場合に、当該印刷命令の実行が不能であることを通知または表示させることを特徴とする請求項７記載の制御装置である。
請求項１０に記載の発明は、前記制御部は、省電力状態の設定中に前記トナー像形成部および前記用紙保持部の設定状態についての送信要求を受け付けた場合に、前記記憶部に前記履歴情報が記憶された当該トナー像形成部および当該用紙保持部の設定状態が不定であることを応答させることを特徴とする請求項６記載の制御装置である。
【０００９】
請求項１１に記載の発明は、コンピュータに、稼働状態にてトナー像形成部が印刷命令に基づき用紙上にトナー像を形成し当該トナー像を定着部が用紙に定着する画像形成部において、当該稼働状態よりも供給電力が低減された省電力状態にて当該トナー像形成部が装置本体から着脱された場合の当該着脱に関する履歴情報と、当該画像形成部に供給される用紙を保持する用紙保持部が当該省電力状態にて装置本体から着脱された場合の当該着脱に関する履歴情報とを記憶部に記憶させる機能と、前記画像形成部および前記用紙保持部を省電力状態から稼働状態に復帰させる際に、前記記憶部に前記履歴情報が記憶されている場合には前記定着部への電力供給を停止状態に維持するように当該画像形成部および当該用紙保持部の動作を制御する機能とを実現させることを特徴とするプログラムである。
【発明の効果】
【００１０】
本発明の請求項１によれば、本発明を採用しない場合に比べて、画像形成装置が省電力状態から復帰する際に消費電力に無駄が発生することを抑制することができる。
本発明の請求項２によれば、画像形成部および用紙保持部の設定状態が省電力状態中に変動したか否かを把握でき、印刷命令に指定された設定での画像形成が実行可能か否かを、本発明を採用しない場合よりも正確に把握することができる。
本発明の請求項３によれば、印刷命令に指定された設定での画像形成が実行可能であることが確認されてから定着部への電力供給を行うことができ、本発明を採用しない場合に比べて、電力を有効に使用することができる。
本発明の請求項４によれば、ユーザが印刷命令に指定された設定での画像形成が実行不能であることを認識することができる。
本発明の請求項５によれば、印刷命令に指定された設定での画像形成が実行不能である可能性を通知することができる。
【００１１】
本発明の請求項６によれば、本発明を採用しない場合に比べて、制御装置が配置された画像形成装置が省電力状態から復帰する際に消費電力に無駄が発生することを抑制することができる。
本発明の請求項７によれば、画像形成部および用紙保持部の設定状態が省電力状態中に変動したか否かを把握でき、印刷命令に指定された設定での画像形成が実行可能か否かを、本発明を採用しない場合よりも正確に把握することができる。
本発明の請求項８によれば、印刷命令に指定された設定での画像形成が実行可能であることが確認されてから定着部への電力供給を行うことができ、本発明を採用しない場合に比べて、電力を有効に使用することができる。
本発明の請求項９によれば、ユーザが印刷命令に指定された設定での画像形成が実行不能であることを認識することができる。
本発明の請求項１０によれば、印刷命令に指定された設定での画像形成が実行不能である可能性を通知することができる。
本発明の請求項１１によれば、本発明を採用しない場合に比べて、画像形成装置が省電力状態から復帰する際に消費電力に無駄が発生することを抑制することができる。
【発明を実施するための最良の形態】
【００１２】
以下、添付図面を参照して、本発明の実施の形態について詳細に説明する。
〈画像形成装置の全体構成の説明〉
図１は本実施の形態が適用される画像形成装置１の全体構成の一例を示した図である。図１に示す画像形成装置１は、画像データ（画像情報）に基づき画像形成を行う画像形成部の一例としての画像形成ユニット２、原稿上の画像を読み取って画像データを生成し画像形成ユニット２に転送する画像読取ユニット３を備えている。また、ユーザからの操作入力の受付やユーザに対する各種情報の表示を行うユーザインターフェース（ＵＩ）ユニット４、例えば公衆電話回線を介してファクシミリデータ（画像情報）の送受信を行うファクシミリ（ＦＡＸ）ユニット５を備えている。さらに、画像形成ユニット２（画像形成装置本体）に外付けで接続され、画像形成ユニット２に各種用紙を供給するトレイユニット６、例えばハードディスクドライブ（ＨＤＤ）やフラッシュメモリ等で構成される外部記憶装置としてのメモリユニット７を備えている。またさらに、画像形成装置１全体の動作や通信回線を介した通信等を制御する制御部の一例としてのシステム制御ユニット８、各部に電力を供給する電力供給ユニット９を備えている。
【００１３】
〈画像形成ユニットの構成の説明〉
図１に示すように、画像形成ユニット２は、一定の間隔を置いて並列的に配置されたトナー像形成部の一例としての４つの画像形成モジュール３０Ｙ,３０Ｍ,３０Ｃ,３０Ｋ（以下、「画像形成モジュール３０」ともいう）を備えている。各画像形成モジュール３０には、構成要素の一例である画像形成機構部（後段図４の画像形成機構部２１）として、静電潜像を形成してトナー像を保持する感光体ドラム３１、感光体ドラム３１の表面を帯電する帯電器３２、帯電器３２によって帯電された感光体ドラム３１を画像データに基づいて露光する露光器３３、感光体ドラム３１上に形成された静電潜像を現像する現像器３４、転写後の感光体ドラム３１表面を清掃するクリーナ３５が配置されている。
そして、各画像形成モジュール３０は、それぞれがイエロー（Ｙ）、マゼンタ（Ｍ）、シアン（Ｃ）、黒（Ｋ）のトナー像を形成する。
また、画像形成ユニット２には、画像形成モジュール３０Ｙ,３０Ｍ,３０Ｃ,３０Ｋ各々の画像形成ユニット２からの着脱によりオンオフされ、ユニット着脱信号を出力する検知手段の一例としてのユニットスイッチ８１,８２,８３,８４が配置されている。
【００１４】
さらに、画像形成ユニット２は、画像形成機構部２１（図４参照）として、各画像形成モジュール３０の感光体ドラム３１にて形成された各色トナー像が多重転写される中間転写ベルト３６、各画像形成モジュール３０による各色トナー像を中間転写ベルト３６に順次転写（一次転写）する一次転写ロール３７、中間転写ベルト３６上に転写された重畳トナー像を記録材（記録紙）である用紙に一括転写（二次転写）する二次転写ロール３８を備えている。
また、画像形成ユニット２は、二次転写されたトナー画像を熱および圧力により用紙に定着する定着部の一例としての定着器３９を備えている。
【００１５】
加えて、画像形成ユニット２は、用紙Ｐ１を保持する用紙保持部の一例としての用紙トレイ４１を備えている。さらに、用紙トレイ４１から用紙Ｐ１を用紙搬送経路Ｒ１に繰り出す構成要素の一例としての給紙機構部２２、用紙トレイ４１やトレイユニット６からの用紙搬送経路Ｒ１や両面印刷時に使用する両面搬送路Ｒ２、さらには手差し用紙トレイ４５からの用紙搬送経路Ｒ３に沿って用紙を搬送する構成要素の一例としての用紙搬送機構部２３を備えている。
そして、画像形成ユニット２は、画像読取ユニット３からの読取画像データ（画像情報）、システム制御ユニット８が通信手段（後段図２の外部ＬＡＮ１４）を介して取得した印刷命令データ（画像情報）、ＦＡＸユニット５にて受信したファクシミリデータ（画像情報）に基づいて、用紙トレイ４１や手差し用紙トレイ４５やトレイユニット６に保持された用紙に画像を形成する。
また、画像形成ユニット２には、用紙トレイ４１の画像形成ユニット２からの着脱によりオンオフされ、トレイ着脱信号を出力する検知手段の一例としてのトレイスイッチ８５が配置されている。
【００１６】
〈トレイユニットの構成の説明〉
トレイユニット６は、上下方向に縦列的に配置された第１用紙供給部６１〜第３用紙供給部６３を備えている。
第１用紙供給部６１は、用紙Ｐ２を画像形成ユニット２に給紙・搬送する給紙搬送機構部６４を備え、用紙Ｐ２を保持する用紙保持部の一例としての用紙トレイ４２から用紙Ｐ２を画像形成ユニット２に供給する。
第２用紙供給部６２は、用紙Ｐ３を画像形成ユニット２に給紙・搬送する給紙搬送機構部６５を備え、用紙Ｐ３を保持する用紙保持部の一例としての用紙トレイ４３から用紙Ｐ３を画像形成ユニット２に供給する。
第３用紙供給部６３は、用紙Ｐ４を画像形成ユニット２に給紙・搬送する給紙搬送機構部６６を備え、用紙Ｐ４を保持する用紙保持部の一例としての用紙トレイ４４から用紙Ｐ４を画像形成ユニット２に供給する。
そして、トレイユニット６は、ＵＩユニット４にてユーザの操作入力により指定された用紙Ｐ２〜Ｐ４や、システム制御ユニット８が取得した印刷命令データにて指定された用紙Ｐ２〜Ｐ４を第１用紙供給部６１〜第３用紙供給部６３から画像形成ユニット２に供給する。
【００１７】
また、トレイユニット６には、用紙トレイ４２,４３,４４各々のトレイユニット６からの着脱によりオンオフされ、トレイ着脱信号を出力する検知手段の一例としてのトレイスイッチ８６,８７,８８が配置されている。
【００１８】
〈画像形成装置の通信系統および電力供給系統の説明〉
次の図２は、図１に示す画像形成装置１の通信系統と電力供給系統とを説明する図である。図２に示すように、本実施の形態の画像形成装置１では、画像形成部である画像形成ユニット２と、画像読取ユニット３、ＵＩユニット４、ＦＡＸユニット５、トレイユニット６、メモリユニット７と、さらには制御部であるシステム制御ユニット８とが、機内ＬＡＮ（Local Area Network）１３に接続されている。本実施の形態では、各ユニット間を１本のバス（機内ＬＡＮ１３）に接続し、ユニット間の通信を実現している。それにより、システム制御ユニット８は、他のユニットを統合的に制御する。
【００１９】
また、画像形成装置１の各ユニット（画像形成ユニット２、画像読取ユニット３、ＵＩユニット４、ＦＡＸユニット５、トレイユニット６、メモリユニット７、システム制御ユニット８）には電力ライン１５,１６が接続されており、この電力ライン１５,１６に接続された電力供給ユニット９を介して電力が供給される。電力供給ユニット９は、商用電源からの交流電力を直流電力に変換して、電力ライン１５から例えば２４Ｖ、１２Ｖの駆動系動電力と、電力ライン１６から例えば５Ｖ、３Ｖの制御系電力とを各ユニットに対して常時供給する。また、電力供給ユニット９は、電力ライン１５を介して商用電源からの１００Ｖの交流電力も供給する。
【００２０】
〈システム制御ユニットの機能の説明〉
システム制御ユニット８は、図２に示すように、外部の装置（外部装置）と外部ＬＡＮ１４によって接続され、外部装置と通信を行う機能を備えている。それにより、システム制御ユニット８は、外部ＬＡＮ１４を介して外部装置から送られた印刷命令データを、機内ＬＡＮ１３を介して画像形成ユニット２やメモリユニット７に送る。
また、システム制御ユニット８は、画像形成装置１の動作モード（動作状態）を制御する機能を備えている。図３は、システム制御ユニット８が画像形成装置１にて設定する動作モードの一例を説明する図である。図３に示したように、システム制御ユニット８は、画像形成装置１の省電力効果を高めるために、動作モードとして「画像形成動作モード」と「スタンバイモード」と「低電力モード」と「スリープモード」とを選択的に設定する。
画像形成動作モードは、稼働状態の一例であって、例えば読取画像データや印刷命令データ等の画像情報に関する用紙上への画像形成を実行している動作状態である。またスタンバイモードは、画像情報の入力に対して直ちに対応可能な稼働状態の一例である動作状態であって、画像情報の入力に応じて画像形成動作モードに移行する。画像形成動作モードでは、画像形成ユニット２およびトレイユニット６を含むすべてのユニットに駆動系電力と制御系電力とが供給される。
【００２１】
低電力モードは、稼働状態の一例であって、例えば第１の時間が経過しても例えば読取画像データや印刷命令データ等の画像情報の入力がない場合に設定される動作状態である。低電力モードでは、電力供給ユニット９から画像形成ユニット２や各ユニットへの駆動系電力の供給が停止される。一方、画像形成ユニット２や各ユニットへの制御系電力の供給は継続される。それにより、画像形成装置１内での消費電力が低減される。
また、スリープモードは、省電力状態の一例であって、第１の時間よりも長い時間である第２の時間が経過しても例えば読取画像データや印刷命令データ等の画像情報の入力がない場合に設定される動作状態である。スリープモードでは、電力供給ユニット９から制御系電力が供給される画像形成ユニット２や各ユニットの制御手段（ＣＰＵ）も低消費電力状態に移行する。それにより、スリープモードでは低電力モードよりも高い省電力効果が得られる。
【００２２】
〈画像形成ユニットの動作の説明〉
続いて、画像形成ユニット２を構成する構成要素の動作を説明する。
図４は、画像形成ユニット２の機能構成を説明する図である。画像形成部である画像形成ユニット２は、画像形成ユニット２の全体を制御する制御手段（ＣＰＵ）である画像形成制御部２０を備えている。画像形成制御部２０は、機内ＬＡＮ１３により接続されたシステム制御ユニット８（図２参照）からの制御信号に従って、ユニット内ＬＡＮ（Local Area Network）１７により接続された各構成要素を制御する。
画像形成ユニット２では、画像形成制御部２０、画像形成機構部２１、給紙機構部２２、用紙搬送機構部２３、および定着器３９はそれぞれユニット内ＬＡＮ１７に接続されている。それにより、画像形成制御部２０は、ユニット内ＬＡＮ１７を介し、システム制御ユニット８からの制御信号に対応させて、画像形成機構部２１、給紙機構部２２、用紙搬送機構部２３、および定着器３９の動作を制御する。
【００２３】
また、画像形成制御部２０には、ユニットスイッチ８１,８２,８３,８４、およびトレイスイッチ８５が直接接続されている。そして、画像形成制御部２０は、ユニットスイッチ８１,８２,８３,８４からのユニット着脱信号、およびトレイスイッチ８５からのトレイ着脱信号を取得する。
そして、画像形成制御部２０は、内部に記憶部の一例としてのメモリ２５を備え、メモリ２５に各ユニット着脱信号およびトレイ着脱信号の取得履歴（着脱に関する履歴情報）を記憶する。
【００２４】
さらに、画像形成ユニット２は、電力ライン１５を介して供給される駆動系電力を画像形成機構部２１、給紙機構部２２、用紙搬送機構部２３に供給する第１電力ライン１８、電力ライン１５を介して供給される駆動系電力を定着器３９に供給する第２電力ライン１９を備えている。この第２電力ライン１９には定着器３９への駆動系電力（交流１００Ｖ）の供給をオンオフする切換スイッチ２９が接続されている。そして、画像形成制御部２０は、スリープモードからスタンバイモードやその後の画像形成動作モードへの復帰の際に、スリープモード設定時にて行われた各画像形成モジュール３０および用紙トレイ４１に関する着脱状況に応じて切換スイッチ２９の切り換えを制御する。
【００２５】
画像形成制御部２０は、システム制御ユニット８からの制御信号に従って、画像形成ユニット２の動作モード（動作状態）を制御する。
システム制御ユニット８にて画像形成動作モードおよびスタンバイモードが設定された場合には、画像形成制御部２０は、第１電力ライン１８から駆動系電力が供給される画像形成機構部２１、給紙機構部２２、用紙搬送機構部２３の動作を制御する。さらには、画像形成制御部２０は、切換スイッチ２９をオンに設定した後に、第２電力ライン１９から駆動系電力が供給される定着器３９の動作を制御する。
また、画像形成制御部２０は、システム制御ユニット８により低電力モードが設定された場合には、通常動作状態を維持する。一方、低電力モードでは、第１電力ライン１８および第２電力ライン１９による駆動系電力の供給が停止され、画像形成機構部２１、給紙機構部２２、用紙搬送機構部２３、定着器３９の動作は停止される。
また、画像形成制御部２０は、システム制御ユニット８によりスリープモードが設定された場合には、通常動作状態よりも消費電力の少ない低消費電力状態に移行し、自らの低消費電力をも低く設定する。さらに、画像形成制御部２０は、スリープモードが設定された際に切換スイッチ２９をオフに設定する。画像形成機構部２１、給紙機構部２２、用紙搬送機構部２３、定着器３９は、低電力モードと同様に、動作が停止される。
【００２６】
ところで、スリープモードが設定された場合にも、画像形成モジュール３０Ｙ,３０Ｍ,３０Ｃ,３０Ｋの何れかが画像形成ユニット２から着脱され、また、用紙トレイ４１が画像形成ユニット２から着脱されることがある。各画像形成モジュール３０が画像形成ユニット２から着脱されるケースとしては、現像器３４への現像剤（主にトナー）の補充が行われる場合や、現像器３４に保持されたトナーの種類（主に色）が異なる画像形成モジュール３０に交換する場合等がある。そのため、各画像形成モジュール３０が画像形成ユニット２から着脱された場合には、着脱された画像形成モジュール３０の設定状態が変動している可能性がある。
また、用紙トレイ４１が画像形成ユニット２から着脱されるケースとしては、用紙トレイ４１への同種の用紙の補充が行われる場合だけでなく、用紙トレイ４１が異種の用紙に交換される場合等もある。そのため、用紙トレイ４１が画像形成ユニット２から着脱された場合には、着脱された用紙トレイ４１の設定状態が変動している可能性がある。
なお、ここでの「設定状態」とは、画像形成モジュール３０の現像器３４に保持されたトナーの種類等といったトナーの内容や用紙トレイ４１に保持された用紙のサイズ等といった用紙の内容、およびトナーの有無といった現像器３４の状態や用紙の有無といった用紙トレイ４１の状態である。以下も同様である。
【００２７】
その一方で、スリープモードが設定された状態では、画像形成ユニット２に設けられた制御手段（本実施の形態では画像形成制御部２０）は低消費電力状態に移行している。それにより、スリープモード設定中に画像形成モジュール３０Ｙ,３０Ｍ,３０Ｃ,３０Ｋの何れかが画像形成ユニット２から着脱され、また、用紙トレイ４１が画像形成ユニット２から着脱されたとしても、従来は、各画像形成モジュール３０の設定状態の変動や用紙トレイ４１の設定状態の変動を把握することができなかった。そのため、画像形成動作モードに復帰した後において、各画像形成モジュール３０や用紙トレイ４１の設定状態を改めて検査する必要があった。そして、画像形成動作モード復帰後に改めて行われた検査の結果、スリープモード設定中に行われた設定変更により、各画像形成モジュール３０や用紙トレイ４１の設定状態が印刷命令データ等に指示された用紙等の設定とは異なるものとなっている場合がある。そのような場合には、印刷命令データ等に従った画像形成処理を行うことができないにも拘わらず画像形成動作モードへの復帰動作が既に実行されているため、スリープモードから画像形成動作モードへの復帰に要する電力が無駄となることがあった。
またこの場合に、スリープモード設定中における各画像形成モジュール３０や用紙トレイ４１の設定状態の変動を把握する方法として、画像形成ユニット２に設けられた制御手段が定期的にスリープモードから低電力モードに復帰して自らを通常動作状態に移行させ、例えばポーリングにより各画像形成モジュール３０や用紙トレイ４１の設定状態を検査する方法もある。しかし、この方法では、制御手段が定期的に通常動作状態に移行するため、画像形成ユニット２での消費電力は増加する。
【００２８】
そこで、本実施の形態の画像形成装置１では、スリープモードが設定された状態において、画像形成モジュール３０Ｙ,３０Ｍ,３０Ｃ,３０Ｋの何れかが画像形成ユニット２から着脱されると、画像形成制御部２０はユニットスイッチ８１,８２,８３,８４から出力される各ユニット着脱信号を割り込み信号として取得する。また、用紙トレイ４１が画像形成ユニット２から着脱されると、画像形成制御部２０はトレイスイッチ８５から出力されるトレイ着脱信号を割り込み信号として取得する。そして、画像形成制御部２０は、低消費電力状態を維持したままで、ユニット着脱信号およびトレイ着脱信号の取得履歴を画像形成制御部２０内のメモリ２５に記憶する。それにより、画像形成制御部２０は、スリープモードの設定期間に各画像形成モジュール３０や用紙トレイ４１の設定状態が変動している可能性を記憶する。
【００２９】
このように、画像形成装置１にスリープモードが設定された状態において、画像形成制御部２０は、各ユニット着脱信号やトレイ着脱信号を割り込み信号として取得し、これらの取得履歴をメモリ２５に記憶するだけである。そのため、予め定められた時間間隔毎に設定状態の変化を検出するポーリングのように画像形成制御部２０の処理負荷は大きくないので、画像形成制御部２０を通常動作状態に復帰させる必要がない。さらに、ユニットスイッチ８１,８２,８３,８４やトレイスイッチ８５としては、例えばメカニカルスイッチが用いられ、ユニット着脱信号やトレイ着脱信号の出力時以外での消費電力は少ない。それにより、スリープモードでは、消費電力が低く維持された状態のままで、各画像形成モジュール３０や用紙トレイ４１の設定状態に変動が生じている可能性が記憶される。
【００３０】
〈トレイユニットの動作の説明〉
続いて、トレイユニット６を構成する構成要素の動作について説明する。
図５は、トレイユニット６の機能構成を説明する図である。トレイユニット６は、トレイユニット６の全体を制御する制御手段（ＣＰＵ）であるトレイ制御部６０を備えている。トレイ制御部６０は、機内ＬＡＮ１３により接続されたシステム制御ユニット８（図２参照）からの制御信号に従って、ユニット内ＬＡＮ１７により接続された各構成部を制御する。
トレイユニット６では、トレイ制御部６０、第１用紙供給部６１の給紙搬送機構部６４、第２用紙供給部６２の給紙搬送機構部６５、および第３用紙供給部６３の給紙搬送機構部６６はそれぞれユニット内ＬＡＮ１７に接続されている。それにより、トレイ制御部６０は、ユニット内ＬＡＮ１７を介し、システム制御ユニット８からの制御信号に対応させて、給紙搬送機構部６４、給紙搬送機構部６５、および給紙搬送機構部６６の動作を制御する。
【００３１】
また、トレイ制御部６０には、トレイスイッチ８６,８７,８８が直接接続されている。そして、トレイ制御部６０は、トレイスイッチ８６,８７,８８からのトレイ着脱信号を取得する。
そして、トレイ制御部６０は、内部に記憶部の一例としてのメモリ６７を備え、メモリ６７にトレイ着脱信号の取得履歴（着脱に関する履歴情報）を記憶する。
【００３２】
トレイユニット６でも、スリープモードが設定された状態において、用紙トレイ４２,４３,４４がトレイユニット６から着脱される場合がある。用紙トレイ４２,４３,４４がトレイユニット６から着脱されるケースとしては、用紙トレイ４２,４３,４４各々への同種の用紙の補充が行われる場合だけでなく、用紙トレイ４２,４３,４４が異種の用紙に交換される場合等もある。そのため、用紙トレイ４２,４３,４４がトレイユニット６から着脱された場合には、着脱された用紙トレイ４２,４３,４４の設定状態が変動している可能性がある。
【００３３】
その一方で、スリープモードが設定された状態では、トレイ制御部６０は低消費電力状態に移行している。用紙トレイ４２,４３,４４がトレイユニット６から着脱されたとしても、従来は、用紙トレイ４２,４３,４４の設定状態の変動を把握することができなかった。そのため、画像形成動作モードに復帰した後において、用紙トレイ４２,４３,４４の設定状態を改めて検査する必要があった。そして、画像形成動作モード復帰後に改めて行われた検査の結果、スリープモード設定中に行われた設定変更により、用紙トレイ４２,４３,４４の設定状態が印刷命令データ等に指示された用紙の設定とは異なるものとなっている場合がある。そのような場合には、印刷命令データ等に従った画像形成処理を行うことができないにも拘わらず画像形成動作モードへの復帰動作が既に実行されているため、スリープモードから画像形成動作モードへの復帰に要する電力が無駄となることがあった。
またこの場合に、スリープモード設定中における用紙トレイ４２,４３,４４の設定状態の変動を把握する方法として、トレイユニット６に設けられた制御手段が定期的にスリープモードから低電力モードに復帰して自らを通常動作状態に移行させ、例えばポーリングにより用紙トレイ４２,４３,４４の設定状態を検査する方法もある。しかし、この方法では、制御手段が定期的に通常動作状態に移行するため、トレイユニット６での消費電力は増加する。
【００３４】
そこで、本実施の形態の画像形成装置１では、スリープモードが設定された状態において、用紙トレイ４２,４３,４４の何れかがトレイユニット６から着脱されると、トレイ制御部６０はトレイスイッチ８６,８７,８８から出力される各トレイ着脱信号を割り込み信号として取得する。そして、トレイ制御部６０は、低消費電力状態を維持したままで、各トレイ着脱信号の取得履歴をトレイ制御部６０内のメモリ６７に記憶する。それにより、トレイ制御部６０は、スリープモードの設定期間に用紙トレイ４２,４３,４４の設定状態が変動している可能性を記憶する。
【００３５】
このように、画像形成装置１にスリープモードが設定された状態において、トレイ制御部６０は、各トレイ着脱信号を割り込み信号として取得し、これらの取得履歴をメモリ６７に記憶するだけである。そのため、予め定められた時間間隔毎に設定状態の変化を検出するポーリングのようにトレイ制御部６０の処理負荷は大きくないので、トレイ制御部６０を通常動作状態に復帰させる必要がない。さらに、トレイスイッチ８６,８７,８８としては、例えばメカニカルスイッチが用いられ、各トレイ着脱信号の出力時以外での消費電力は少ない。それにより、スリープモードでは、消費電力が低く維持された状態のままで、用紙トレイ４２,４３,４４の設定状態に変動が生じている可能性が記憶される。
【００３６】
〈システム制御ユニットがスリープモードからの復帰時に行う動作制御の説明〉
次に、システム制御ユニット８が画像形成装置１の動作モードをスリープモードから画像形成動作モードに復帰させる場合に、システム制御ユニット８が行う動作制御について説明する。
図６および図７は、スリープモードから画像形成動作モードに復帰させる場合にシステム制御ユニット８が行う動作制御の内容の一例を示すフローチャートである。
まず図６に示すように、システム制御ユニット８は、例えば外部ＬＡＮ１４を介して外部装置から印刷命令データを受信した場合には、画像形成装置１をスリープモードから画像形成動作モードに復帰させる制御信号を出力する（Ｓ１０１）。その際には、システム制御ユニット８は、画像形成ユニット２の画像形成制御部２０に対して、切換スイッチ２９の設定をそのままオフ状態に維持することを指示する制御信号を送信する（Ｓ１０２）。そして、画像形成制御部２０のメモリ２５に各ユニット着脱信号やトレイ着脱信号の取得履歴が記憶されているか否かを判定することを指示する制御信号を送信する（Ｓ１０３）。
【００３７】
メモリ２５に各ユニット着脱信号やトレイ着脱信号の取得履歴が記憶されている場合には（Ｓ１０４でＹｅｓ）、システム制御ユニット８は、画像形成制御部２０に対して各画像形成モジュール３０や用紙トレイ４１の設定状態の検査を指示する制御信号を送信する（Ｓ１０５）。それにより、画像形成制御部２０は、各画像形成モジュール３０や用紙トレイ４１の設定状態を検査し、検査した設定状態を機内ＬＡＮ１３を介してシステム制御ユニット８に送る。
システム制御ユニット８は、画像形成制御部２０からの検査結果である各画像形成モジュール３０や用紙トレイ４１の設定状態を取得する（Ｓ１０６）。そして、システム制御ユニット８は、画像形成制御部２０からの検査結果である各画像形成モジュール３０や用紙トレイ４１の設定状態を、スリープモード設定前の設定状態と書き換え、設定状態を更新する（Ｓ１０７）。
【００３８】
一方、メモリ２５に各ユニット着脱信号やトレイ着脱信号の取得履歴が記憶されていない場合には（Ｓ１０４でＮｏ）、システム制御ユニット８は、スリープモード設定前の各画像形成モジュール３０や用紙トレイ４１の設定状態をそのまま維持する（Ｓ１０８）。
【００３９】
次に図７に移り、システム制御ユニット８は、トレイユニット６のトレイ制御部６０に対して、トレイ制御部６０のメモリ６７に各トレイ着脱信号の取得履歴が記憶されているか否かを判定することを指示する制御信号を送信する（Ｓ１０９）。
メモリ６７に各トレイ着脱信号の取得履歴が記憶されている場合には（Ｓ１１０でＹｅｓ）、システム制御ユニット８は、トレイ制御部６０に対して用紙トレイ４２,４３,４４の設定状態の検査を指示する制御信号を送信する（Ｓ１１１）。それにより、トレイ制御部６０は、用紙トレイ４２,４３,４４の設定状態を検査し、検査した設定状態を機内ＬＡＮ１３を介してシステム制御ユニット８に送る。
システム制御ユニット８は、トレイ制御部６０からの検査結果である用紙トレイ４２,４３,４４の設定状態を取得する（Ｓ１１２）。そして、システム制御ユニット８は、トレイ制御部６０からの検査結果である用紙トレイ４２,４３,４４の設定状態を、スリープモード設定前の設定状態と書き換え、設定状態を更新する（Ｓ１１３）。
【００４０】
一方、メモリ６７に各トレイ着脱信号の取得履歴が記憶されていない場合には（Ｓ１１０でＮｏ）、システム制御ユニット８は、スリープモード設定前の用紙トレイ４２,４３,４４の設定状態をそのまま維持する（Ｓ１１４）。
【００４１】
次に、システム制御ユニット８は、画像形成ユニット２およびトレイユニット６による画像形成処理において、印刷命令に指定された設定が各画像形成モジュール３０や用紙トレイ４１,４２,４３,４４の設定状態に基づき実現できるかを判定する（Ｓ１１５）。印刷命令に指定された設定が実現できる場合には（Ｓ１１６でＹｅｓ）、システム制御ユニット８は、画像形成制御部２０に対して、印刷命令データと切換スイッチ２９をオンに設定させる制御信号とを出力する（Ｓ１１７）。
一方、画像形成ユニット２およびトレイユニット６による画像形成処理において、印刷命令に指定された設定が実現できない場合には（Ｓ１１６でＮｏ）、システム制御ユニット８は、外部ＬＡＮ１４を介して印刷命令データの送信元である外部装置に印刷命令を実行できない旨と、その理由を通知する（Ｓ１１８）。この場合には、システム制御ユニット８は、画像形成制御部２０に対して、印刷命令データおよび切換スイッチ２９をオンに設定させる制御信号を出力しない。
なお、印刷命令を実行できない旨の理由を通知する形態としては、送信元である外部装置のディスプレイに表示させる形態や、それに加えて画像形成装置１のＵＩユニット４に表示させる形態が用いられる。
【００４２】
このように、画像形成ユニット２およびトレイユニット６による画像形成処理において、印刷命令に指定された設定が各画像形成モジュール３０や用紙トレイ４１,４２,４３,４４の設定状態に基づき実現できない場合には、スリープモードから画像形成動作モードに復帰させる場合においても、画像形成ユニット２の定着器３９へは駆動系電力の供給を行わない。それにより、画像形成装置１が例えば外部ＬＡＮ１４を介した外部装置からの印刷命令データに関する画像形成を実行可能な設定状態にない場合には、スリープモードからスタンバイモードや画像形成動作モードへの復帰時に生じる定着器３９での駆動系電力の無駄な消費が抑制される。
【００４３】
すなわち、各画像形成モジュール３０や用紙トレイ４１,４２,４３,４４の設定状態と、例えば外部装置からの印刷命令にて指示された設定とが一致しない場合には、印刷命令を実行できない。そのため、スタンバイモードや画像形成動作モードへの復帰時に直ちに消費電力の大きな定着器３９に駆動系電力の供給を開始すると、印刷命令を実行できない場合に、定着器３９に供給された駆動系電力に大きな無駄が生じることとなる。
これに対して、本実施の形態のシステム制御ユニット８では、画像形成ユニット２およびトレイユニット６を用いて画像形成処理を行うに際して、印刷命令に指定された設定が各画像形成モジュール３０や用紙トレイ４１,４２,４３,４４の設定状態に基づき実現可能か否かを判定する。そして、印刷命令を実行できると判定した場合においてのみ、システム制御ユニット８は、画像形成ユニット２の切換スイッチ２９をオンに設定し、定着器３９に駆動系電力を供給する。それにより、画像形成装置１が外部装置からの印刷命令が実行可能な設定状態にある場合においてだけ定着器３９に駆動系電力が供給されるので、定着器３９に供給される駆動系電力の無駄は低減される。
【００４４】
なお、画像形成装置１にスリープモードが設定された状態にて、システム制御ユニット８が外部ＬＡＮ１４を介して外部装置からＳＮＭＰ（Simple Network Management Protocol）を用いた画像形成装置１の設定状態（ステータス）に関する送信要求を受けた場合には、システム制御ユニット８が次のような応答処理を行うように構成してもよい。
すなわち、システム制御ユニット８は、スリープモードが設定された状態でステータスの送信要求を受けた場合には、機内ＬＡＮ１３を介して画像形成ユニット２の画像形成制御部２０に備えられたメモリ２５や、トレイユニット６のトレイ制御部６０に備えられたメモリ６７にアクセスする。
【００４５】
そして、システム制御ユニット８は、メモリ２５やメモリ６７に各ユニット着脱信号や各トレイ着脱信号の取得履歴が記憶されている場合には、ステータスの送信要求を行った送信元に対して、ステータスは「不定」であることを示すステータス情報を応答する。一方、メモリ２５やメモリ６７に各ユニット着脱信号や各トレイ着脱信号の取得履歴が記憶されていない場合には、各画像形成モジュール３０や用紙トレイ４１,４２,４３,４４の設定状態に変動は生じていないので、システム制御ユニット８は、画像形成装置１にスリープモードが設定される前のステータス情報を送信元に対して応答する。
このように構成すれば、各ユニットでのスリープモードを維持した状態で、画像形成装置１内のステータスに関する情報が外部装置に通知される。
【００４６】
また、本実施の形態では、外部装置から受信した印刷命令データに対する画像形成処理を行う場合を例に説明したが、画像読取ユニット３からの読取画像データや、ＦＡＸユニット５にて受信したファクシミリデータをＵＩユニット４から入力されたユーザの指示に従って画像形成処理を行う場合も、同様である。
さらに、本実施の形態では、各画像形成モジュール３０に関する設定状態の変動の可能性を、各画像形成モジュール３０の着脱についてのユニット着脱信号を用いて判定した。しかし、各画像形成モジュール３０の着脱に代え、または、各画像形成モジュール３０の着脱に加えて、各画像形成モジュール３０にトナーを補給するトナー補給容器（不図示）の着脱についての着脱信号を用いてもよい。
【００４７】
次の図８は、システム制御ユニット８のハードウェア構成を示した図である。図８に示したように、システム制御ユニット８は、画像形成装置１の動作制御を実行するに際して、予め定められたプログラムに従ってデジタル演算処理を実行する演算手段の一例としてのＣＰＵ１０１、ＣＰＵ１０１の作業領域として用いられるＲＡＭ１０２、ＣＰＵ１０１により実行されるプログラム等にて用いられる設定値等のデータが格納されたＲＯＭ１０３、書き換え可能で電源供給が途絶えた場合にもデータを保持するＥＥＰＲＯＭやフラッシュメモリ等の不揮発性メモリ（ＮＶＭ）１０４、機内ＬＡＮ１３を介して接続された各ユニットとの信号の入出力を制御するインターフェース（Ｉ/Ｆ）部１０５を備えている。
【００４８】
ここで、メモリユニット７にはシステム制御ユニット８により実行されるプログラムが格納されており、システム制御ユニット８がこのプログラムを読み込むことによって、画像形成装置１の動作制御が実行される。すなわち、画像形成装置１の動作制御を実行するプログラム等が、例えばメモリユニット７としてのハードディスクやＤＶＤ−ＲＯＭ等からシステム制御ユニット８のＲＡＭ１０２に読み込まれる。そして、ＲＡＭ１０２に読み込まれたプログラムに基づいて、ＣＰＵ１０１が各種処理を行う。このプログラムに関するその他の提供形態としては、予めＲＯＭ１０３に格納された状態にて提供され、ＲＡＭ１０２にロードされる形態がある。さらに、ＥＥＰＲＯＭ等の書き換え可能なＲＯＭ１０３を備えている場合には、システム制御ユニット８がセッティングされた後に、プログラムだけがＲＯＭ１０３にインストールされ、ＲＡＭ１０２にロードされる形態がある。また、インターネット等の外部ＬＡＮ１４を介してシステム制御ユニット８にプログラムが伝送され、システム制御ユニット８のＲＯＭ１０３にインストールされ、ＲＡＭ１０２にロードされる形態がある。さらにまた、ＤＶＤ−ＲＯＭやフラッシュメモリ等の外部記録媒体からＲＡＭ１０２にロードされる形態がある。
【００４９】
以上説明したように、本実施の形態の画像形成装置１では、スリープモードが設定された状態において、各画像形成モジュール３０や用紙トレイ４１の画像形成ユニット２からの着脱や用紙トレイ４２,４３,４４のトレイユニット６からの着脱を記憶する。それにより、スリープモードの設定期間に各画像形成モジュール３０や用紙トレイ４１,４２,４３,４４の設定状態が変動している可能性を記憶しておく。そして、各画像形成モジュール３０や用紙トレイ４１,４２,４３,４４の設定状態が変動している可能性がある場合には、スリープモードからの復帰時に画像形成ユニット２の定着器３９への駆動系電力の供給を直ちに行わない。印刷命令に指定された設定が各画像形成モジュール３０や用紙トレイ４１,４２,４３,４４の設定状態に基づき実現できることが確認された場合においてのみ、定着器３９に駆動系電力を供給する。それにより、印刷命令が実行される場合においてだけ定着器３９に駆動系電力が供給されるので、定着器３９に供給される駆動系電力の無駄は低減される。
【図面の簡単な説明】
【００５０】
【図１】本実施の形態が適用される画像形成装置の全体構成の一例を示した図である。
【図２】画像形成装置の通信系統と電力供給系統とを説明する図である。
【図３】システム制御ユニットが画像形成装置にて設定する動作モードの一例を説明する図である。
【図４】画像形成ユニットの機能構成を説明する図である。
【図５】トレイユニットの機能構成を説明する図である。
【図６】スリープモードから画像形成動作モードに復帰させる場合にシステム制御ユニットが行う動作制御の内容の一例を示すフローチャートの前半部分である。
【図７】スリープモードから画像形成動作モードに復帰させる場合にシステム制御ユニットが行う動作制御の内容の一例を示すフローチャートの後半部分である。
【図８】システム制御ユニットのハードウェア構成を示した図である。
【符号の説明】
【００５１】
１…画像形成装置、２…画像形成ユニット、３…画像読取ユニット、４…ユーザインターフェース（ＵＩ）ユニット、５…ファクシミリ（ＦＡＸ）ユニット、６…トレイユニット、６Ａ〜６Ｄ…サブトレイユニット、７…メモリユニット、８…システム制御ユニット、９…電力供給ユニット、１３…機内ＬＡＮ、２０…画像形成制御部、２９…切換スイッチ、３０（３０Ｙ,３０Ｍ,３０Ｃ,３０Ｋ）…画像形成モジュール、３９…定着器、４１,４２,４３,４４…用紙トレイ、６０…トレイ制御部、８１,８２,８３,８４…ユニットスイッチ、８５,８６,８７,８８…トレイスイッチ
【図１】
2010130163.tif 000003
【図２】
2010130163.tif 000004
【図３】
2010130163.tif 000005
【図４】
2010130163.tif 000006
【図５】
2010130163.tif 000007
【図６】
2010130163.tif 000008
【図７】
2010130163.tif 000009
【図８】
2010130163.tif 000010